(57)【特許請求の範囲】
【請求項１】
遊技機にて使用する遊技価値の種類が複数あり、遊技者が獲得した遊技価値である獲得価値の数を、当該遊技者を識別する識別情報に対応付けて管理すると共に、一の種類の前記獲得価値を対価として、他の種類の遊技価値を遊技者に付与することが可能な遊技場に対応した遊技場用システムにおいて、
遊技を行う遊技者の前記識別情報を特定する識別情報特定手段と、
対価として使用する前記獲得価値の種類を遊技者が選択するための選択手段と、
前記選択手段とは別の装置として設けられ、前記識別情報特定手段の特定結果に基づいて遊技者が所有する前記獲得価値の数を特定すると共に、前記選択手段によって選択された種類の前記獲得価値を対価として、当該獲得価値の種類とは異なる種類の遊技価値を遊技者に付与する第１遊技用装置と、
対価として使用する前記獲得価値の種類の優先順序を遊技場の管理者が設定するための設定手段と、
前記識別情報特定手段の特定結果に基づいて遊技者が所有する前記獲得価値の数を特定すると共に、前記選択手段により選択されていた前記獲得価値の種類に関わらず、前記設定手段により設定された前記優先順序に基づいて決定された種類の獲得価値を対価として、当該獲得価値の種類とは異なる種類の遊技価値を遊技者に付与する第２遊技用装置と、
を備えたことを特徴とする遊技場用システム。
【請求項２】
前記選択手段により対価として使用することが選択された獲得価値の種類を記憶する記憶手段を備え、前記第１遊技用装置及び前記第２遊技用装置のそれぞれは、前記記憶手段が記憶している獲得価値の種類を対価として当該獲得価値とは異なる種類の遊技価値を遊技者に付与するものであり、
前記第２遊技用装置は、当該第２遊技用装置が対応する遊技機で遊技者が遊技を開始してから、一の種類の前記獲得価値を対価として、他の種類の遊技価値を遊技者に付与するまでに、前記記憶手段が記憶している獲得価値の種類を、前記設定手段により設定された優先順序の高い獲得価値に切り替える切替手段を備えたことを特徴とする請求項１に記載した遊技場用システム。
【発明の詳細な説明】
【技術分野】
【０００１】
本発明は遊技場用システムに関する。
【背景技術】
【０００２】
近年、遊技機での遊技に関して、例えば１個４円で貸し出す玉（遊技価値）を遊技に使用するコーナーや、１個１円で貸し出す玉を遊技に使用するコーナー等、複数のコーナーを設けた遊技場がある。このような遊技場では、遊技価値の種類が複数あることで、多様な遊技者の要望に応えることが可能となる。また、例えば特許文献１には、遊技者が獲得した玉やメダルを預け入れて所謂貯玉として記憶し、後日貯玉を対価として玉やメダルを払い出す所謂再プレイを可能にすると共に、再プレイの際に種類の異なる玉やメダルを対価として使用可能にする所謂乗入について記載されている。
【０００３】
ここで、遊技場によっては、異なる種類の遊技価値を対価として使用することを可能にした場合に、優先的に対価として遊技者に使用させたい遊技価値が存在する。そこで、特許文献１では、予め設定された優先順序に基づいて、管理装置側で対価として使用する遊技価値の種類を自動的に決定する遊技システムが採用されている。
【先行技術文献】
【特許文献】
【０００４】
【特許文献１】特開２０１５−１７１６３７号公報
【発明の概要】
【発明が解決しようとする課題】
【０００５】
しかしながら、遊技場内の貸出機によっては、種類の異なる遊技価値を対価として使用することには対応しているが、管理装置側で設定された優先頂序に基づいて対価として使用する遊技価値を自動的に決定することには対応していないことがある。そして、遊技場によっては、優先順序に基づいた遊技価値の自動決定に対応した貸出機と対応していない貸出機とが混在していることがある。貸出機が混在していると、設定が煩雑になるおそれや、全ての貸出機で遊技価値の自動決定の機能を使用できなくなってしまうおそれがある。
【０００６】
本発明は、上記した事情に鑑みてなされたもので、その目的は、複数種類の貸出機が混在している状況において乗入運用を良好に行うことが可能な遊技場用システムを提供することにある。
【課題を解決するための手段】
【０００７】
請求項１の遊技場用システムによれば、第２遊技用装置は遊技者が選択した獲得価値の種類に関わらず、遊技場側が設定した優先順序に基づいて対価とする獲得価値の種類を決定するので、第１遊技用装置と第２遊技用装置とが混在している状態において、誤った種類の獲得価値を対価とした遊技価値の付与が実行されることを抑制できる。
【図面の簡単な説明】
【０００８】
【図１】本発明の一実施形態を示す全体構成図
【図２】第１貸出機、ＰＯＳ、及び管理装置の動作の手順を示す図
【図３】管理装置のモニタに表示される他口座設定画面の図
【図４】他口座設定画面の「Ａ」の領域に表示される設定内容を表す図
【図５】乗入に係る設定及び内容の説明図
【図６】（ａ）は第２貸出機について払出釦と表示操作部を示す拡大図、（ｂ）は乗入元口座を個別選択する場合における表示操作部の画面遷移の図
【図７】乗入元口座を一括選択する場合における表示操作部の画面遷移の図（その１）
【図８】乗入元口座を一括選択する場合における表示操作部の画面遷移の図（その２）
【発明を実施するための形態】
【０００９】
以下、本発明の一実施形態について図面を参照して説明する。図１は、遊技場用システムの全体構成を示している。遊技場内には多数の遊技機１が設置されており、各遊技機１に対応して貸出機２が設置されている。遊技機１及び貸出機２は、それぞれ２台ずつ中継装置４と接続されており、中継装置４はＬＡＮ５を介して管理装置６と接続されている。また、遊技場にはＰＯＳ７や、図示しない残高精算機も設置されており、これらＰＯＳ７や残高精算機もＬＡＮ５を介して管理装置６と接続されている。
【００１０】
管理装置６は、遊技場内の例えば事務室等に設置されており、遊技場の管理者が操作するキーボード８、モニタ９、プリンタ（図示せず）等が接続されている。管理装置６は、遊技機側つまり遊技機１や貸出機２等の側から出力される遊技信号を入力することで、遊技機１毎の遊技データ、会員登録された会員毎の個人データ、遊技機１や貸出機２等の稼動状態等を管理する。
【００１１】
図１では図示を省略したが、実際には例えば数百台の遊技機１が管理装置６の管理対象となっており、遊技場内には、遊技機１の種別毎に遊技機島が形成されている。即ち、遊技場内には、図１に例示する遊技機１としてパチンコ玉を遊技媒体とするパチンコ機が設置されたパチンココーナーと、メダルを遊技媒体とするスロットマシンが設置されたスロットコーナーとが設けられている。パチンココーナーには、１玉４円レートのパチンコ機が設置された４円玉コーナーと、１玉２円レートのパチンコ機が設置された２円玉コーナーと、１玉１円レートのパチンコ機が設置された１円玉コーナーと、１玉０．５円レートのパチンコ機が設置された０．５円玉コーナーとが設けられている。スロットコーナーには、１枚２０円レートのスロットマシンが設置された２０円メダルコーナーと、１枚５円レートのスロットマシンが設置された５円メダルコーナーとが設けられている。こうして、遊技機１にて使用する遊技価値の種類が複数ある本遊技場にあっては、その遊技価値の種類について遊技媒体とレートとを異にするコーナーが複数設けられている。尚、本実施形態におけるスロットマシンの詳細な説明は省略する。
【００１２】
遊技機１は、ＣＲ（カードリーダ）パチンコ遊技機であり、盤面１０に玉を発射する発射装置を構成する操作ハンドル１１、上部受皿１２、下部受皿１３を有すると共に、盤面１０に、液晶表示部１４、普図入賞口１５、第１始動口１６、第２始動口１７、大入賞口１８を有する。遊技機１は以下に示すように動作する。
【００１３】
（ａ）第１始動口１６は入賞率が変動しない入賞口（所謂ヘソ入賞口）であり、第２始動口１７は入賞率が変動する入賞口（所謂電チュー）である。各始動口１６、１７への入賞（始動入賞）に応じて大当たり抽選を行い、抽選結果を液晶表示部１４にて行う図柄変動にて報知し、その変動結果に応じて大当たりとなる。
【００１４】
（ｂ）図柄変動中に始動入賞した場合には、保留上限値となる例えば各４つまで図柄変動を累積的に保留し、図柄変動終了後に保留している図柄変動を開始する。尚、保留している図柄変動数たる保留数が上限値である状態で始動入賞した場合、図柄変動は保留されない。
【００１５】
（ｃ）大当たり抽選の当選確率（所謂大当たり確率）は１／３６０であり、大当たりがその後確変状態となる確変大当たりとなる割合である確変率は、後述の通常状態、確変状態共に６６．６％である。大当たりが発生すると１５ラウンド分だけ大入賞口１８を開放する。尚、１Ｒの上限入賞数は１０個であり、上限開放時間は３０秒であり、上限入賞数又は上限開放時間の何れかが満たされた場合に１ラウンドを終了する。
【００１６】
（ｄ）確変中は大当たり確率が１／３６に向上すると共に、始動口１７への入賞率が高くなる時短状態になる。尚、確変は次回大当たりまで継続するので、大当たり後に大当たりでも確変でもない状態である通常遊技状態（所謂通常状態）となる通常大当たりが発生するまで継続し、その後は所定数（例えば１００回）の図柄変動を行うまで時短状態となり、その後に通常状態となる。
【００１７】
（ｅ）第２始動口１７は普図入賞口１５への入賞に応じて変動する普通図柄（普図）が当たりとなった場合に入賞率の高い開放状態となる。この場合、普図１回の変動時間は通常状態では３０秒であり時短状態では３秒となる。また、開放時間は通常状態では０．３秒であり時短状態では５秒となる。即ち、時短状態では通常状態と比較して普図変動時間が短くなる一方、開放時間は長くなることで第２始動口１７の入賞率が高くなる。尚、上記は単なる例示であり、例示した数値等のスペックは機種に応じて異なる数値等が採用される。
【００１８】
遊技機１及び当該遊技機１に付設された周辺機器は、遊技者による玉の打ち込みや各始動口１６、１７への始動入賞等の遊技の進行に伴って、以下に示す遊技信号を出力する。
アウト信号＝消費玉を回収するアウトＢＯＸから出力される消費価値（アウト）を特定可能な信号である。消費（使用、打込、回収）玉１０玉に対して１パルスが出力されるので、「アウト信号数×１０」をアウトとして特定する。尚、遊技機１から出力される信号でも良い。
【００１９】
セーフ信号＝遊技機１から出力される入賞付与価値（セーフ）を特定可能な信号である。払出し１０玉に対して１パルスが出力されるので、「セーフ信号数×１０」をセーフとして特定する。
【００２０】
始動信号＝遊技機１から出力される始動入賞により変動乃至作動する、液晶表示部１４での役物に係るスタート処理、つまり図柄変動や役物作動、或いは単位遊技を特定可能な信号である。図柄変動確定時に出力されるので、始動信号の入力に応じてスタート処理を特定し、「始動信号×１」をスタート回数たるスタート処理数として特定する。尚、第１始動口１６又は第２始動口１７への入賞を示す信号でも良い。
【００２１】
大当たり信号＝遊技機１から出力される大当たり期間を特定可能な信号である。大当たり中にレベル出力される状態信号であるので、大当たり信号の入力中を大当たり中として特定する。
【００２２】
特別状態信号＝遊技機１から出力される特別状態（甘中）を特定可能な信号である。第２始動口１７の入賞率が向上する特別状態中（時短中）にレベル出力される状態信号であるので、特別状態信号の入力中を特別状態中として特定する。また、大当たり信号及び特別状態信号の何れも入力していない期間を通常状態として特定する。
【００２３】
貸出機２は、所謂各台計数機能付のものであり、図示しないＣＰＵや記憶部を含む制御部を備える。本実施形態の貸出機２は、相互に機種が異なる第１貸出機２Ａ（第１遊技用装置に相当）と、第２貸出機２Ｂ（第２遊技用装置に相当し、単に遊技用装置とも称す）とに分けて表すものとする。即ち、第１、第２貸出機２Ａ，２Ｂは基本的な機能を同じくする一方、その機種別に固有の機能を備える。図１では、第１貸出機２Ａは１円玉コーナーに設置され、第２貸出機２Ｂは４円玉コーナーに設置されるものとして示しているが、説明の便宜上、第１貸出機２Ａの構成要素には符号「Ａ」を、第２貸出機２Ｂの構成要素には符号「Ｂ」を夫々付して一括して説明する（図１参照）。
【００２４】
第１、第２貸出機２Ａ，２Ｂは、遊技機１の遊技状態を示す状態表示灯１９Ａ，１９Ｂ、貨幣が投入される貨幣投入口２０Ａ，２０Ｂ、遊技者からの操作入力を受け付けると共に入金残高や持玉数、各種遊技データ等を表示するタッチパネル式の液晶表示部２１Ａ，２１Ｂ、一般用のＩＣカード（以下、一般カードと称す）や会員カードが挿入されるカード挿入口２４Ａ，２４Ｂ、対応する遊技機１の下部受皿１３の下方に位置する計数受皿２５Ａ，２５Ｂを備える。
【００２５】
更に、第１、第２貸出機２Ａ，２Ｂは、持玉を払い出すための払出釦２２Ａ，２２Ｂ、払い出された玉が通過する払出ノズル２３Ａ，２３Ｂを備えており、図６（ａ）の拡大図で示す払出釦２２Ｂを押圧する付与操作を行うと、払出ノズル２３Ｂを通じて係る持玉を払出す。尚、持玉とは、遊技者が遊技により獲得した遊技価値である獲得価値であり、会員であれば貯玉も含む。また、払出釦２２Ｂは、遊技者が予め定められた付与操作を行うために操作する付与操作手段に相当する。
【００２６】
第１、第２貸出機２Ａ，２Ｂの制御部（以下、適宜第１、第２貸出機２Ａ，２Ｂと略す）は、以下の処理を行う。
（ａ）貨幣受付処理にて貨幣を受け付けると、遊技機１と第１、第２貸出機２Ａ，２Ｂとの双方に入金額を入金残高に加算して表示する。入金残高がある状態で、遊技機１における図示しない貸出釦の押下による貸出操作がなされると、貸出１単位分として例えば５００円分の貸出玉を遊技機１から払い出す対価付与処理が行われ、レートに応じた対価分を入金残高から引き落とす減算処理を行う。尚、貨幣は複数回の対価付与処理の対応分を、例えば１万円まで受け付け可能である。
【００２７】
（ｂ）遊技機１の下部受皿１３から落下した玉を計数受皿２５Ａ，２５Ｂにより受けると、その受けた玉を計数して持玉として特定し、その持玉を対価とした払出しも可能とする。払出釦２２Ａ，２２Ｂでの付与操作により持玉の再プレイ操作がなされると、その対価額単位分として例えば５００円分の持玉を払出ノズル２３Ａ，２３Ｂから払い出す、持玉の再プレイ処理が行われる。再プレイ処理は、獲得価値を対価として遊技者へと遊技価値を付与する処理であり、その対価分つまり払出した玉数と同数を持玉から引き落とす減算処理を行う。
【００２８】
（ｃ）入金残高や持玉が残存する状態で、遊技機１における図示しない返却釦の押下による発行操作が行われると、ストックしている入金残高や持玉を特定可能な一般カードを発行する。尚、持玉の一部や入金残高のみを発行対象とする分割発行も可能であり、一般カードを受け付けた場合は、その入金残高や持玉を引き継ぐものとする。
【００２９】
（ｄ）遊技場の会員となった遊技者に配布される会員カードも受け付け可能であり、会員カードに対して一般カードと同様に持玉や入金残高を対応付け可能である。但し、入金残高は一般カードと同様に会員カードに残高情報が書き込まれるが、持玉は会員カードに持玉情報が書き込まれずに管理装置６にて会員ＩＤと対応付けて管理され、会員ＩＤが対応付けられると貯玉として特定される。即ち、遊技者を識別する識別情報としての会員ＩＤに対応付けて管理する獲得価値の数が貯玉数となり、未対応の獲得価値の数が持玉数となる。貯玉は払い戻しや景品交換等を当日も含めて翌日以降でも可能とするが、持玉は払い戻しや景品交換等を当日限りで可能とする等、貯玉と持玉とでは有効期限等に関して性質の違いがある。
【００３０】
前記会員ＩＤは、会員カードに記憶されているＩＤであり、一般カードに記憶されているカードＩＤと区別される。本実施形態の会員カードには、その発行時において会員から申告された例えば４桁の暗証番号が設定されており、この暗証番号は、管理装置６により構築された会員データテーブル上で該当会員ＩＤと対応付けたデータとして記憶される。また、暗証番号は、その会員としての遊技者が、第２貸出機２Ｂにおける液晶表示部２１Ｂの画面（図８の画面１２３等参照）等でのタッチ操作により、これを認証操作として入力するようになっている。このように、液晶表示部２１Ｂは、遊技者が予め定められた暗証番号に係る認証操作を実行するための認証操作手段に相当する。
【００３１】
（ｅ）中継装置４とのシリアル通信により管理装置６にて、前記の貨幣受付処理や対価付与処理、入金残高や持玉、貸出玉数、払戻玉数、入金額、計数玉数や貸出玉数や貸出玉の対価となる売上額、及び一般カードの受け付けや発行処理等の各種情報を特定可能とする。もっとも、これら各種情報をパルス信号により、例えば入金１０００円毎に１パルス、売上１００円毎に１パルスとする等の、特定可能な構成としても良い。尚、このような各種情報の通信については中継装置４を介さずに遊技機１と第１、第２貸出機２Ａ，２Ｂとの間で直接行っても良い。
【００３２】
（ｆ）一般カードや会員カードには複数種別のレートとして例えば、貸出単価が１玉４円つまり４円レートや、貸出単価が１玉１円つまり１円レート等の持玉が対応付け可能である。例えば、第１貸出機２Ａでは１円レート、第２貸出機２Ｂでは４円レートというように、何れの貸出機２Ａ，２Ｂにも予めレートが対応付けられており、通常処理では対応付けられたレート内での対価付与処理や再プレイ処理が行われる。
【００３３】
また、本実施形態では、貯玉の再プレイの際に、所謂乗入可能な遊技場に対応した遊技場用システムが採用されている。ここで、乗入とは、乗入先の払出しを行う貸出機２に対応付けられていない種別である乗入元の貯玉を対価として、乗入先の貸出機２に対応付けられている種別での払出し処理を行うものであり、予め設定される乗入元と乗入先とのレート比率に応じた換算比率により種別を超えた再プレイ処理を可能とするものである。例えば４円レートを乗入元とし、乗入先となる１円レートが対応付けられている第１貸出機２Ａにて２００玉分の払出しを行うと、乗入先との換算比率が１／４であれば５０玉分の乗入元の４円の貯玉を対価として減算する（後述する図４の「１パチ」の欄参照）。
【００３４】
第１、第２貸出機２Ａ，２ＢやＰＯＳ７等は、再プレイ、預入、景品交換、会員カード排出等に伴う持玉を貯玉とする貯玉処理等を行うと、その旨を特定可能な情報を管理装置６に出力する。
【００３５】
管理装置６は、図示しないＣＰＵや記憶部を含む制御部を備えており、当該制御部（以下適宜、管理装置６と称す）は、第１、第２貸出機２Ａ，２ＢやＰＯＳ７等から入力する情報に基づいて、再プレイ処理、預入処理、景品交換処理等を示す貯玉の履歴を管理する処理を行う。
【００３６】
具体的には、管理装置６は、一の会員ＩＤ或いはカードＩＤに対して上記コーナーに対応する複数の口座を設定しており、玉やメダルを計数した場合に会員カード或いはＩＣカードと対応付けた貯玉（預入れ）の履歴を記憶する。つまり、管理装置６は、識別情報特定手段として遊技を行う遊技者の識別情報たる会員ＩＤを特定し、その会員ＩＤに対応付けた４円貯玉口座、２円貯玉口座、１円貯玉口座、０．５円貯玉口座、２０円貯メダル口座、５円貯メダル口座が夫々設定されている。同様に、一般用のＩＣカードに記憶されているカードＩＤに対応付けて４円持玉口座、２円持玉口座、１円持玉口座、０．５円持玉口座、２０円持メダル口座、５円持メダル口座が夫々設定されている。
【００３７】
管理装置６は、上記した貸出機２Ａ，２Ｂと、それらが設置されたコーナーとの関係を記憶し、その関係に基づいてコーナーに対応する口座に貯玉する処理を実行する。また、管理装置６は、貯玉の履歴を日時と対応付けて記憶しており、前日までに預け入れた貯玉であることを前提として、コーナーで使用可能な自口座（つまり乗入先に対応する口座）以外の他口座（例えば４円玉コーナーであれば、乗入元になりうる２円貯玉口座、１円貯玉口座、０．５円貯玉口座、２０円貯メダル口座、５円貯メダル口座）を使用する乗入が可能に設定されている。
【００３８】
さて、本実施形態の第１貸出機２Ａは、第２貸出機２Ｂと異なり、その液晶表示部２１Ａで他口座の選択操作ができる機種ではない。そこで、第１貸出機２Ａについては、乗入元の他口座を何れにするかを遊技者が予めＰＯＳ７で選択した上で、その選択した他口座の貯玉を対価とした払出し処理を行う構成とする一方、第２貸出機２Ｂについては、ＰＯＳ７で選択した乗入元の他口座如何によらず、管理装置６側で予め定めた優先順序で乗入元の他口座を決定し、その優先順序での他口座の貯玉を対価とした払出し処理の実行が可能に構成されている。このような貸出機２Ａ，２Ｂが混在した、他口座の利用に係る乗入のシステムについて、「（１）ＰＯＳ７における他口座の利用設定」と「（２）管理装置６における他口座の利用設定」とに分けて順に説明する。
【００３９】
（１）ＰＯＳ７における他口座の利用設定
ＰＯＳ７は、対価として使用する獲得価値の種類、つまり遊技媒体やその貸出単価を異にする他口座の種類を遊技者が選択するための選択手段として構成されている。その他口座の利用設定に係る基本的な運用は、以下の通りである。
【００４０】
（ａ）会員カードが挿入された貸出機２Ａ，２Ｂが設置されたコーナーの交換種別に対応した自口座の貯玉を優先で払出しするが、ＰＯＳ７において遊技者が使用したい他口座を選択した場合、その選択した他口座の貯玉の貸出機２Ａ，２Ｂにおける払出しを可能にする。
（ｂ）遊技者が指定した他口座の貯玉を、自口座に移管することはできない。
（ｃ）遊技者が選択した他口座の貯玉の使用は、遊技場側で「当日限り」と「無期限」との選択設定を可能とする。例えば他口座の利用期限に関して「当日限り」の設定にすると、管理装置６は、遊技場の閉場時の処理或いは翌日開店前の処理により、上記（ａ）で設定した他口座の選択を無効化する。この無効化については、他口座の選択履歴を自動的に解消して、自口座の貯玉を使用するように使用口座を変更するのであるが、詳しくは（２）で後述する。
【００４１】
ここで、ＰＯＳ７、管理装置６及び貸出機２の動作手順について、第１貸出機２ＡはＰＯＳ７にて選択した他口座の払出し処理のみ行う構成であることから、第１貸出機２Ａを中心に図２を参照しながら説明する。尚、管理装置６には、会員ＩＤに対応して４円〜０．５円の各貯玉口座、２０円〜５円の各貯メダル口座が夫々設定されているが、図２に示すように、遊技の結果、当該会員ＩＤの４円貯玉口座に１０００個、１円貯玉口座に１０００個、０．５円貯玉口座に１０００個（その他の種類の貯玉や貯メダルの数については何れも０個）が記憶されているものとする。
【００４２】
例えば１円玉コーナーにて遊技者が所持する会員カードを第１貸出機２Ａに挿入すると、同図２のステップＡ１において（以下のＡ１´以降につき「ステップ」の語を省略する）、第１貸出機２Ａは会員カードに記憶されている会員ＩＤを読み出して管理装置６へ通知する。この場合、管理装置６は会員ＩＤにより特定される、遊技者の１円貯玉口座における再プレイ可能玉数を第１貸出機２Ａに通知する（Ａ１´）。
【００４３】
遊技者が払出釦２２Ａでの付与操作を行うと、第１貸出機２Ａは自口座である１円貯玉口座の貯玉再プレイを開始したことを管理装置６へ通知し（Ａ２）、管理装置６は１円貯玉口座の貯玉引落処理を実施してそのことを第１貸出機２Ａに通知する（Ａ２´）。
【００４４】
この場合、第１貸出機２Ａの液晶表示部２１Ａでは、貯玉引落処理後の１円貯玉口座の貯玉数を表示することができるが、他口座の選択操作ができない。それ故、遊技により１円貯玉が０個になって、遊技者が他口座を使用したいと考えた場合、その第１貸出機２Ａから会員カードを抜いてＰＯＳ７が設置された景品交換カウンタにて担当従業員に会員カードを渡す。担当従業員は、ＰＯＳ７に会員カードを読み出させる。このとき、ＰＯＳ７は、会員カードから読み出した会員ＩＤを管理装置６へ通知する。これに応じて、管理装置６は、当該会員ＩＤの口座に預け入れてある玉数やメダル枚数をＰＯＳ７に通知することから、ＰＯＳ７における図示しないディスプレイには、「利用口座を選択して下さい」というメッセージと共に、貯玉が存在する口座（図２の例では４円貯玉口座及び０．５円貯玉口座）が表示される。遊技者が例えば４円貯玉口座を使用したい旨、担当従業員に伝えると、その選択操作がＰＯＳ７にて行われることで、そのディスプレイに「４円貯玉口座を選択しました。４円貯玉口座を選択したことを遊技者に伝えて下さい。」と表示され、担当従業員はそのことを遊技者に伝える。
【００４５】
この際、ＰＯＳ７は、４円貯玉口座の乗入れ運用の依頼、つまり管理装置６へ選択した他口座を通知する（Ａ３）。これに応じて、管理装置６は、ＰＯＳ７より依頼された遊技者の他口座を４円貯玉口座に設定することにより乗入れ運用を許可すると共に、遊技者が４円貯玉口座を選択したという履歴を記憶する（Ａ３´）。
【００４６】
この後、遊技者が１円玉コーナーに戻って第１貸出機２Ａに会員カードを挿入すると、第１貸出機２Ａは会員カードの会員ＩＤを読み出して管理装置６へ通知する（Ａ４）。これに応じて、管理装置６は、会員ＩＤを特定し、その運用口座として記憶している４円貯玉口座の貯玉数を第１貸出機２Ａに通知する（Ａ４´）。これにより、第１貸出機２Ａの液晶表示部２１Ａでは、その貯玉数を、前述した４円レートと１円レートとのレート比率（４／１）で換算した再プレイ可能玉数として表示する。また、前述した付与操作により２００玉分の払出し行うと、選択した４円貯玉の再プレイが開始されたことを管理装置６へ通知し（Ａ５）、管理装置６は、その払出しについて前記換算比率（１／４）での４円貯玉を対価とした減算（Ａ５´での５０玉分の４円貯玉引落処理）を実施する。
【００４７】
上記した４円貯玉口座の選択時と同様、遊技者がＰＯＳ７にて０．５円貯玉口座を選択すると、ＰＯＳ７は０．５円貯玉口座の乗入れ運用を管理装置６へ依頼する（Ａ６）。これに応じて、管理装置６は、ＰＯＳ７より依頼された運用口座を４円貯玉口座から０．５円貯玉口座に切り替えることにより乗入れ運用を許可すると共に、その０．５円貯玉口座の選択履歴を記憶する（Ａ６´）。
【００４８】
遊技者が１円玉コーナーに戻って第１貸出機２Ａに会員カードを挿入すると、第１貸出機２Ａは会員カードから読み出した会員ＩＤを管理装置６へ通知する（Ａ７）。これに応じて、管理装置６は、会員ＩＤを特定し、その運用口座として記憶している０．５円貯玉口座の再プレイ可能玉数を第１貸出機２Ａに通知する（Ａ７´）。これにより、第１貸出機２Ａの液晶表示部２１Ａでは、再プレイ可能玉数について、０．５円レートと１円レートとのレート比率に応じた１／２の値を表示する。そして、遊技者の付与操作により２００玉分の払出しを行うと、選択した０．５円貯玉の再プレイが開始されたことを管理装置６へ通知し（Ａ８）、管理装置６は、その払出しについて２／１の換算比率で０．５円貯玉を対価とした減算（Ａ８´での４００玉分の０．５円貯玉引落処理）を実施する。
【００４９】
こうして、第１貸出機２Ａにおける付与操作の繰り返しにより、再プレイ可能玉数が０個になったものとする。この場合、管理装置６での運用口座の選択履歴を解消（他口座利用を解除）すべく、第１貸出機２Ａにおいて、前記発行操作による会員カードの発行とカード挿入口２４Ａへの再挿入が必要となる。このため、液晶表示部２１Ａには、その会員カードの抜き差しを促すメッセージが表示される。
【００５０】
上記Ａ３´、Ａ６´において、管理装置６の記憶部は、ＰＯＳ７により対価として使用することが選択された獲得価値の種類を記憶する記憶手段として機能する。また、上記運用により、第１貸出機２Ａにあっては、ＰＯＳ７とは別の装置としながらも、管理装置６による会員ＩＤの特定結果に基づいて遊技者が所有する獲得価値の数を特定すると共に、ＰＯＳ７によって選択された種類の獲得価値（上記例では４円貯玉や０．５円貯玉）を対価として、当該獲得価値の種類とは異なる種類の遊技価値（上記例では１円レートでのパチンコ玉）を遊技者に付与することが可能となる。
【００５１】
また、第２貸出機２Ｂについても、第１貸出機２Ａと同様に、ＰＯＳ７において何れの他口座の貯玉で再プレイを行うか遊技者が選択できる。それ故、第１貸出機２Ａ及び第２貸出機２Ｂの夫々は、管理装置６の前記記憶部が記憶している獲得価値の種類を対価として当該獲得価値とは異なる種類の遊技価値を遊技者に付与するものといえる。
【００５２】
（２）管理装置６における他口座の利用設定
図３は、管理装置６で行われる他口座の利用に係る設定について、モニタ９に表示出力表示される他口座設定画面を示し、図４は、その他口座設定画面の「Ａ」の領域に表示される設定内容等を示す。尚、他口座設定画面は、管理装置６において、遊技場の管理者により所定操作が行われることで表示され、以下の選択操作や入力操作は、キーボード８やマウスカーソルを利用して行われる（他のタッチパネル式ディスプレイでのタッチ操作で行うようにしても良い）。
【００５３】
図３の他口座設定画面の上側の欄には、「メニュー」釦３１ａ、「タイトル」釦３１ｂ、「乗入全解除」釦３１ｃを含む複数の各種釦が設けられている。管理装置６は、「メニュー」釦３１ａの選択操作がなされると、他口座設定画面から図示しないメニュー画面へと遷移し、「タイトル」釦３１ｂの選択操作がなされると、他口座設定画面から図示しない待機画面へと遷移する。そして、「乗入全解除」釦３１ｃの選択操作がなされると、無条件で全ての他口座の選択履歴を解消して、他口座利用中の状態を解除する。
【００５４】
即ち、図３中央の第２貸出機乗入方法の欄３２ａにおいて、「ＰＯＳ」の選択操作がなされている場合、上記（１）で述べた第１貸出機２Ａと同様、第２貸出機２Ｂについても、ＰＯＳ７で乗入元となる他口座を選択することができる（図５参照）。一方、第２貸出機乗入方法の欄３２ａで「第２貸出機」が選択され且つ乗入元口座選択方法の欄３２ｂで「個別」が選択されている場合、第２貸出機２Ｂの液晶表示部２１Ｂで、乗入元とする他口座を選択することができる。
【００５５】
そして、図３の他口座利用期限の欄３２ｃにおいて、「当日限り」の選択操作がなされている場合、管理装置６は、上記した他口座の選択履歴を解消する処理を例えば翌日開店前に自動的に実行する（図５参照）。一方、他口座利用期限の欄３２ｃにて「無期限」の選択操作がなされている場合、期間を限定することなく、選択した他口座の利用を可能とする。もっとも、管理装置６は、前記払出し処理により他口座の貯玉が０個になったと判断した時点で、他口座利用期限にかかわらず、且つＰＯＳ７と第２貸出機２Ｂとの何れかで他口座を選択したかにかかわらず、自動的に個々の口座の選択履歴を解消する処理を実行する。更には、管理装置６は、上記「乗入全解除」釦３１ｃの選択操作がなされると、無条件で全ての他口座の選択履歴を解消することから、「乗入全解除」は、例えば遊技場にコーナーを新設する場合等に行われる。
【００５６】
管理装置６において、ＰＯＳ７や第２貸出機２Ｂで選択した１つの口座に限定して許可する場合、図３の他口座利用の欄３２ｄにて「有」を選択した上で、第２貸出機乗入方法の欄３２ａで「ＰＯＳ」を選択し、或いは乗入元口座選択方法の欄３２ｂで「個別」を選択する。これに対し、第２貸出機乗入方法の欄３２ａで「第２貸出機」を選択して、乗入元口座選択方法の欄３２ｂで「一括（グループ）」の選択操作をした場合、管理装置６は、第２貸出機２Ｂでの複数の他口座の指定を可能にすると共に、それらの口座を利用する際の優先順序を遊技場側で予め定めることができる。
【００５７】
ここで、「グループ」とは、図４に例示する「４パチ」〜「０．５パチ」と、「２０スロ」〜「５スロ」とで区分されるように、遊技価値の種類を、パチンコ玉に対応する「グループ１」とメダルに対応する「グループ２」とにまとめる単位を表わす。これらのグループとして設定の対象となるのは、第２貸出機２Ｂのように遊技者が他口座を任意に選択できる機種である。第１貸出機２Ａは、前記優先順序での口座の指定に対応する機種ではなく、当該口座の指定の設定対象外となるからである。それ故、図４の「グループ１」の「１パチ」は、第２貸出機２Ｂと機種を同じくする、貸出単価が１円の貸出機２に対応する。このように、本実施形態では、「グループ１」の「４パチ」〜「０．５パチ」に対応する、第２貸出機２Ｂ或いはこれと同じ機種の貸出機２が、４円玉コーナー〜０．５円玉コーナーに夫々のレートに対応付けて設置されているものとする。つまり、１円玉コーナーには、第１貸出機２Ａと第２貸出機２Ｂとが混在している。
【００５８】
そして、管理装置６は、対価として使用する獲得価値の種類の優先順序を遊技場の管理者が設定するための設定手段として構成されており、図４のグループ１，２単位で当該優先順序を「引落順」として指定することができる。具体的には同図に示すように、グループ１において、「No.１」の「４パチ」は、その自口座以外の「他口座利用」の項目を全て「する」に設定し、夫々の他口座について各レート対応する換算比率、払出単位、及び引落単位を設定している。従って、４円玉コーナーの第２貸出機２Ｂにおいて、前記付与操作により１２５玉分の払出しを行うと、同図の各換算比率に対応した引落単位で貯玉引落処理が行われる。同様に、「No.２」〜「No.４」の２パチ〜０．５パチも、各「他口座利用」の項目を「する」に設定し、夫々の他口座について各レート対応する換算比率、払出単位、及び引落単位を設定している。
【００５９】
このような図４における各項目は、管理装置６側で任意に設定することができ、例えば「引落順」は、４パチが「４」、２パチが「３」、１パチが「２」、０．５パチが「１」、２０スロが「２」、５スロが「１」というように、グループ毎に貸出単価が小さい他口座から早い優先順序を設定している。これにより、４円玉〜０．５円玉の各コーナーにおける第２貸出機２Ｂは、管理装置６による会員ＩＤの特定結果に基づいて遊技者が所有する獲得価値の数を特定すると共に、ＰＯＳ７により選択されていた獲得価値の種類に関わらず、管理装置６により設定された「１」〜「４」の優先順序に基づいて決定された種類の獲得価値（他口座の貯玉）を対価として、当該獲得価値の種類とは異なる種類の遊技価値（自口座のレートによるパチンコ玉）を遊技者に付与することが可能となる。尚、本実施形態では、他口座だけでなく自口座も、設定された「１」〜「４」の優先順序での引き落としの対象となる（図５参照）。
【００６０】
また、第２貸出機２Ｂの前記記憶部（記憶手段に相当する）には、管理装置６から通知される前記特定結果に基づく遊技者の各口座の貯玉数（獲得価値の数）が、会員ＩＤに対応付けて遊技媒体やレート別に記憶される。従って以下に説明するように、第２貸出機２Ｂは、前記付与操作が行われた場合に、自身の記憶部が記憶する予め定められた種類の獲得価値（例えば第１獲得価値としての自口座の貯玉）を対価とした、予め定められた種類の遊技価値（例えば特別遊技価値としての４円レートでのパチンコ玉）の遊技者への付与と、当該記憶部が記憶する第１獲得価値とは異なる種類の獲得価値（例えば第２獲得価値としての他口座の貯玉）を対価とした、４円レートでのパチンコ玉の遊技者への付与とが可能となる。このように、第２貸出機２Ｂは、第１遊技価値付与手段及び第２遊技価値付与手段に相当する。
【００６１】
こうした、第２貸出機２Ｂ及び管理装置６の動作手順について、図６〜図８に示す第２貸出機２Ｂの液晶表示部２１Ｂに表示される画面遷移のフテップに沿って説明する。
・「乗入元口座選択設定：個別」について
図６（ｂ）は、上記した乗入元口座選択方法の欄３２ｂで「個別」の選択設定がなされ、４円玉コーナーの第２貸出機２Ｂで、遊技者が任意に他口座を個別選択するときの画面１００〜１０８の遷移を例示している。
【００６２】
第２貸出機２Ｂは、カード挿入口２４Ｂに会員カードが挿入されると、その入金残高や会員ＩＤを含むカード情報を読み出して、初期画面１００を表示する。同画面１００の上部の欄１００ａには、４パチに対応する「４円貸」や払出単位である「１２５玉」が表示される。また、第２貸出機２Ｂは、読み出した会員ＩＤを管理装置６へ通知し、管理装置６は、会員ＩＤにより特定される遊技者の各口座の貯玉数と前記優先順序を第２貸出機２Ｂに通知する。
【００６３】
この場合、初期画面１００に示されるように、当該会員カードは自口座の玉数が「持玉  ０玉」、「入金残高  ０円」であるものとし、遊技者が前日までに預け入れた２円貯玉口座と１円貯玉口座とのうち、１円貯玉口座における例えば２５００個の貯玉から払出しを行うものとする。また、第２貸出機２Ｂの前記記憶部には、管理装置６から通知された各口座の貯玉数が、会員ＩＤに対応付けて遊技媒体やレート別に記憶される。
【００６４】
第２貸出機２Ｂは、初期画面１００のタッチ操作がなされると、第１メニュー画面１０１に遷移する。第１メニュー画面１０１には、「持ち玉共有」、「安心ロック」、「入金残高取出」、「ちょっと貸し」の各釦が表示されており、「次」釦１０１ａをタッチ操作することにより次の第２メニュー画面１０２へ遷移する。尚、第１メニュー画面１０１の「入金残高取出」釦１０１ｂ、第２メニュー画面１０２の「会員カード挿入」釦１０２ｂ等は、入金残高が０円、会員カード挿入中等の理由により、グレーアウト表示された非活性状態となっている。
【００６５】
第２メニュー画面１０２では、「詳細情報」、「他口座利用」、「ケータイ貯玉」、「会員カード挿入」の各釦が表示されており、「他口座利用」釦１０２ａをタッチ操作することにより、口座選択画面１０３へ遷移する。この場合、第２貸出機２Ｂは、２円貯玉口座と１円貯玉口座の各貯玉数を特定していることから、口座選択画面１０３に、それらを他口座として表す「２パチ」と「１パチ」の各釦を表示する。
【００６６】
ここで、遊技者が所望する「１パチ」釦１０３ａをタッチ操作すると、第２貸出機２Ｂは、そのタッチ操作に応じて、遊技者の乗入元となる他口座を１円貯玉口座に決定すると共に、その決定した１円貯玉口座を特定する情報を、管理装置６へ通知する。管理装置６は、通知された１円貯玉口座の選択履歴を記憶する。この選択履歴の記憶は、（１）で述べたＰＯＳ７における、別の他口座の選択が先になされていたとしても、管理装置６において当該先の選択履歴に上書きして更新することにより行われる。
【００６７】
また、第２貸出機２Ｂは、「１パチ」釦１０３ａのタッチ操作に伴い、口座選択画面１０３から暗証番号入力画面１０４へ遷移する。暗証番号入力画面１０４では、テンキー１０４ａが表示される。遊技者が認証操作として、テンキー１０４ａのタッチ操作により前記４桁の暗証番号を入力すると、第２貸出機２Ｂは、入力された暗証番号を、管理装置６へ通知する。管理装置６は、通知された暗証番号について会員データテーブル上のデータと照合することにより、当該暗証番号が適正であるか否かを判断し、適正であった場合に、第２貸出機２Ｂに適正信号を送信する。こうして、認証手段としての第２貸出機２Ｂは、乗入元となる他口座を決定した場合でも、管理装置６からの適正信号の受信を待って（つまり認証操作を遊技者が実行した場合に、識別情報に対応付けられた遊技者が遊技を行っていることを特定した上で）、暗証番号入力画面１０４から確認画面１０５へ遷移する。換言すれば、正常な認証操作が行われた場合に、適正な遊技者（識別情報に対応した遊技者）が遊技を行っていることを特定し、暗証番号入力画面１０４から確認画面１０５に遷移すると言うことも可能である。
【００６８】
確認画面１０５では、「よろしければ払出釦を押して下さい」の表示と併せて、その直ぐ下の欄１０５ａに、乗入先となる自口座の種別を表す「４」と、乗入元として決定した他口座の種別を表す「１パチ」とを表示する。また、第２貸出機２Ｂは、乗入元として決定した１円貯玉口座における「２５００玉」の貯玉数と、これを再プレイ可能玉数として前記レート比率（１／４）で換算した「６２５玉」とを確認画面１０５に表示する。
【００６９】
そして、図６（ａ）の払出釦２２Ｂに対する付与操作がなされると、第２貸出機２Ｂは、払出ノズル２３Ｂを通じて１２５玉分を払出す。この１２５玉分の払出しに伴い、「払出し中」を表す再プレイ画面１０６へ遷移し、その払出しを終えると「払出し完了」を表す払出し完了画面１０７へ遷移する。この場合、各画面１０６，１０７では、払出した１２５玉分を６２５玉から減算し、その減算した値である５００玉を再プレイ可能玉数として更新（表示）する。また、第２貸出機２Ｂは、１円貯玉の再プレイが開始されたことを管理装置６へ通知し、管理装置６は、その払出しについて前記換算比率（４／１）での１円貯玉を対価とした減算（５００玉分の１円貯玉引落処理）を実施する。
【００７０】
その後、第２貸出機２Ｂは、払出し完了画面１０７から初期画面１０８へ遷移し、初期画面１０８では、更新後の再プレイ可能玉数「５００」が表示される。尚、他口座に切り替わった後の初期画面１０８では、その下部の欄１０８ｂの表示が、当初の初期画面１００の「貯玉払出」から「他口座払出」に更新される。また、前記付与操作以降における各画面１０６〜１０８の上部の欄１０６ａ〜１０８ａには、１円貯玉口座の利用中であることを表わす「１パチ利用中」が表示され、以降、遊技者は１円貯玉口座を利用した付与操作を続けて行うことができる。
【００７１】
・「乗入元口座選択設定：一括」について
以上に対し、図７、図８は、図３における乗入元口座選択方法の欄３２ｂで「一括（グループ）」の選択設定がなされ、上記した優先順序での他口座の自動選択が行われる場合における、４円玉コーナーの第２貸出機２Ｂでの画面１１１〜１１８遷移を例示している。以下では、遊技者の会員カードについて自口座の当日貯玉がなく、前日までに預け入れた１円貯玉口座、２円貯玉口座、４円玉口座から払出しを行うものとする。また、以下では、既に述べた画面１００〜１０８に関連する重複部分の説明を省略し、「個別」の選択設定と異なるところを中心に説明する。
【００７２】
図７のメニュー画面１１１は、図６の第２メニュー画面１０２と同じであり、「他口座利用」釦１１１ａをタッチ操作することにより、次の画面１１２へ遷移する。この画面１１２は、カード挿入口２４Ｂに会員カードが挿入されていないとき、その会員カードの挿入を促し、或いは会員カードの挿入に代えて携帯電話を第２貸出機２Ｂにかざす操作を促す画面である。
【００７３】
ここで、携帯電話をかざす操作について説明しておく。遊技者は、自身が所持する携帯電話（スマートフォン等でも良い）に係る情報を予め管理装置６等により登録（記憶）しておく。そして、遊技者は、第２貸出機２Ｂにおいて前記の画面１１２が表示されたとき、会員カードをカード挿入口２４Ｂに挿入することなく、その携帯電話を第２貸出機２Ｂにかざすと、第２貸出機２Ｂが備える通信手段によって、当該携帯電話との間で無線通信を行い、携帯電話から係る情報を取得する。係る情報（携帯ＩＤ）は、第２貸出機２Ｂを通じて管理装置６へ送信されて、管理装置６で遊技者の識別情報として照合されるものであり、会員カードの会員ＩＤに代替しうるものである。
【００７４】
第２貸出機２Ｂは、カード挿入口２４Ｂに会員カードが挿入されると、そのカード情報を読み出すと共に、挿入を促す画面１１２から口座選択画面１１３へ遷移する。口座選択画面１１３では、「一括」釦１１３ａが表示される。また、第２貸出機２Ｂは、読み出した会員ＩＤを管理装置６に通知し、管理装置６は、会員ＩＤにより特定される遊技者の各口座の貯玉数と前記優先順序を第２貸出機２Ｂに通知する。
【００７５】
ここで、第２貸出機２Ｂは、「一括」釦１１３ａがタッチ操作されると、通知された１円貯玉口座、２円貯玉口座、及び４円玉口座の優先順序に基づいて、それらの口座のうち優先順序の早い１円貯玉口座（図４の引落順「２」参照）を乗入元の口座として決定すると共に、その決定した１円貯玉口座を管理装置６へ通知する。これにより、管理装置６は、その１円貯玉口座の選択履歴を記憶する。この選択履歴の記憶は、ＰＯＳ７における別の他口座の選択が先になされていたとしても、管理装置６において当該先の選択履歴（前記運用口座）に上書きして、優先順序の高い貯玉口座へ切り替えるように更新するものである。このように、第２貸出機２Ｂの液晶表示部２１Ｂ（タッチパネル）は、対応する遊技機１で遊技者が遊技を開始してから、一の種類の獲得価値（上記例では１円貯玉）を対価として、他の種類の遊技価値（上記例では４円レートでのパチンコ玉）を遊技者に付与するまでに、管理装置６が記憶している獲得価値の種類を、管理装置６により設定された優先順序の高い獲得価値に切り替える切替手段に相当する。
【００７６】
また、第２貸出機２Ｂは、「一括」釦１１３ａのタッチ操作に伴い、口座選択画面１１３から暗証番号入力画面１１４へ遷移する。暗証番号入力画面１１４において、遊技者がテンキー１１４ａのタッチ操作により４桁の暗証番号を入力すると、第２貸出機２Ｂは、入力された暗証番号を管理装置６へ通知する。管理装置６は、通知された暗証番号について会員データテーブル上のデータと照合し、当該暗証番号が適正であると判断した場合、第２貸出機２Ｂに適正信号を送信する。こうして、第２貸出機２Ｂは、乗入元となる１円貯玉口座を決定した場合でも、管理装置６からの適正信号の受信を待って、暗証番号入力画面１１４から確認画面１１５へ遷移する。
【００７７】
確認画面１１５では、「よろしければ払出釦を押して下さい」の表示と併せて、直ぐ下の欄１１５ａに、乗入先となる自口座の種別を表す「４」と、乗入元として決定した他口座の種別を表す「１パチ」とを表示する。また、第２貸出機２Ｂは、乗入元として決定した１円貯玉口座における例えば「２５００玉」の貯玉数と、これを再プレイ可能玉数として前記レート比率で換算した「６２５玉」とを確認画面１１５に表示する。
【００７８】
そして、前記付与操作がなされると、第２貸出機２Ｂは１２５玉分を払出す。また、その払出しに伴い、「払出し中」を表す再プレイ画面１１６へ遷移し、その払出しを終えると「払出し完了」を表す払出し完了画面１１７へ遷移する。この場合、各画面１１６，１１７では、払出した１２５玉分を６２５玉から減算し、その減算した値である５００玉を再プレイ可能玉数として表示を更新する。また、第２貸出機２Ｂは、１円貯玉の再プレイが開始されたことを管理装置６へ通知し、管理装置６は、その払出しについて前記換算比率での１円貯玉を対価とした減算（５００玉分の１円貯玉引落処理）を実施する。その後、第２貸出機２Ｂは、払出し完了画面１１７から初期画面１１８へ遷移し、初期画面１１８では、更新後の再プレイ可能玉数「５００」が表示される。
【００７９】
図８の初期画面１１９、再プレイ画面１２０、及び払出し完了画面１２１は、遊技機１での遊技の進行に伴い、前記付与操作の繰り返しにより、１２５玉分ずつ払出した結果、１円貯玉口座を利用した再プレイ可能玉数が０個になる過程の画面遷移を表す。これにより、次の初期画面１２２では、再プレイ可能玉数が表示されていない。
【００８０】
このように、第２貸出機２Ｂは、１円貯玉口座の貯玉を使い切った時点で、前記優先順序に基づき１円玉貯玉口座の次の優先順序となる２円貯玉口座を乗入元の口座として決定すると共に、その決定した２円貯玉口座を管理装置６へ通知する。これにより、管理装置６は、乗入元の口座を１円玉貯玉口座から２円貯玉口座へ切り替えるように自動的に設定し、その２円貯玉口座の選択履歴を記憶する。また、１円貯玉口座を利用した付与操作以降、各画面１１６〜１２１の上部の欄１１６ａ〜１２１ａに表示されていた「１パチ利用中」は、２円貯玉口座へ切り替えた初期画面１２２の欄１２２ａで「２パチ利用中」に更新される。
【００８１】
このように、一方の口座における貯玉の不足に伴い自動的に実行される他方の口座への切替処理を、状態切替処理と称する。即ち、第２貸出機２Ｂは切替手段として、１円貯玉を対価として４円レートでのパチンコ玉を付与した場合に、自身が当該４円レートでのパチンコ玉を付与するために対価にする１円貯玉の数が不足した状態になると、自身が第１遊技価値付与手段として４円レートでのパチンコ玉を付与する状態から第２遊技価値付与手段として４円レートでのパチンコ玉を付与する状態に切り替える状態切替処理を実行する。
【００８２】
また、第２貸出機２Ｂは、１円貯玉口座の貯玉を使い切った状態で、前記付与操作がなされると、初期画面１２２から暗証番号入力画面１２３へ遷移する。暗証番号入力画面１２３において、遊技者がテンキー１２３ａのタッチ操作により４桁の暗証番号を入力すると、第２貸出機２Ｂは、入力された暗証番号を管理装置６へ通知する。管理装置６は、通知された暗証番号について会員データテーブル上のデータと照合し、当該暗証番号が適正であると判断した場合、第２貸出機２Ｂに適正信号を送信する。これにより、第２貸出機２Ｂは、適正信号を受信すると、前記確認画面１１５と同様の確認画面（図示略）へ遷移する。即ち、第２貸出機２Ｂは、乗入元となる２円貯玉口座を決定した場合でも、管理装置６からの適正信号の受信を待って、確認画面へ遷移する。そして、第２貸出機２Ｂは、決定した２円貯玉口座における例えば「１２５０玉」の貯玉数と、これを再プレイ可能玉数として前記レート比率（１／２）で換算した「６２５玉」とを、当該確認画面に表示する。これにより、遊技者は、２円貯玉口座を利用して、前記付与操作による再プレイを行うことができる。
【００８３】
こうして、第２貸出機２Ｂは、前記の状態切替処理を実行した場合に、遊技者が暗証番号を入力する等して認証操作を実行するまで、４円レートでのパチンコ玉の付与の実行を抑制するようになっており、特別遊技価値の付与の実行を抑制する抑制手段として機能する。
【００８４】
次の初期画面１２４、再プレイ画面１２５、及び払出し完了画面１２６は、２円貯玉口座に係る付与操作の繰り返しにより、１２５玉分ずつ払出した結果、２円貯玉口座を利用した再プレイ可能玉数が０個になる過程の画面遷移を表す。これにより、次の初期画面１２７では、再プレイ可能玉数が表示されていない。
【００８５】
このように、第２貸出機２Ｂは、１円貯玉口座だけでなく２円貯玉口座の貯玉を使い切った時点で、前記優先順序に基づき２円貯玉口座の次の優先順序となる自口座の４円玉口座を使用口座として決定し、その決定した４円貯玉口座を管理装置６へ通知する。これにより、管理装置６では、２円貯玉口座の選択履歴を無効化（解除）して、他口座の乗入を終了する。
【００８６】
また、第２貸出機２Ｂは、１円貯玉口座及び２円貯玉口座の各貯玉を使い切った状態で、前記付与操作がなされると、初期画面１２７から暗証番号入力画面１２８へ遷移する。暗証番号入力画面１２８において、遊技者がテンキー１２８ａのタッチ操作により４桁の暗証番号を入力すると、第２貸出機２Ｂは、入力された暗証番号を管理装置６へ通知する。管理装置６は、通知された暗証番号について会員データテーブル上のデータと照合し、当該暗証番号が適正であると判断した場合、第２貸出機２Ｂに適正信号を送信する。これにより、第２貸出機２Ｂは、適正信号を受信すると、前記確認画面１１５と同様の確認画面（図示略）へ遷移する。
【００８７】
この確認画面では、決定された４円貯玉口座の貯玉数が表示され、遊技者は、４円貯玉口座を利用して前記付与操作を行うことができる。尚、自口座に切り替わった後の初期画面１２７では、その下部の欄１２７ｂの表示が、切り替わる前の初期画面１１８、１１９、１２２の「他口座払出」から「貯玉払出」に更新される。
【００８８】
上記したように、乗入の終了は、全ての他口座の貯玉を使い切った際に、自動的な他口座選択の解除により行われる。また、乗入の終了は、第２貸出機２Ｂにおいて、図示しないメニュー画面で「他口座利用終了」釦のタッチ操作がなされることにより、これを管理装置６へ通知し、管理装置６は、通知された当該会員ＩＤの他口座利用を解除させることによっても行われる。
【００８９】
また、管理装置６は、前記他口座設定画面に表示される第２貸出機乗入方法の欄３２ａで「第２貸出機」に設定され、且つ乗入元口座選択方法の欄３２ｂで「一括（グループ）」に設定された場合でも、ＰＯＳ７における他口座の利用設定（つまりＰＯＳ７を通じた他口座の選択記憶と、その解除）が可能に構成されている。
【００９０】
尚、第２貸出機２Ｂは、自口座の当日貯玉としての持玉がある場合、前記初期画面には、その持玉数が表示され（例えば画面１２７の「持玉」の欄１２７ａ参照）、その持玉を、他口座の貯玉よりも優先して払出す。即ち例えば、第２貸出機２Ｂにおいて、他口座を利用している途中で、計数受皿２５Ｂにより受けた玉を計数して持玉として特定したとき、その特定した持玉を全て払出したことを条件に、他口座を継続して利用することができる。このように、第２貸出機２Ｂは持玉に係る計数を行い、或いは前記発行操作により会員カードを発行する場合でも、他口座利用を解除しない構成となっている。
【００９１】
以上に説明したように本実施形態によれば、次に示す効果を得ることができる。
遊技場用システムにおいて、第２貸出機２Ｂは遊技者が選択した貯玉の種類に関わらず、遊技場側が設定した優先順序に基づいて対価とする貯玉の種類を決定するので、第１貸出機２Ａと第２貸出機２Ｂとが混在している状態において、誤った種類の貯玉を対価としたパチンコ玉の付与が実行されることを抑制できる。
【００９２】
また、獲得価値を使用した他の種類の遊技価値の付与が実行される前に、管理装置６の記憶部が記憶している獲得価値の種類を優先順序に基づいた獲得価値の種類に切り替えるため、係る抑制効果を高くすることが可能になる。
【００９３】
ところで、相互にレートが異なる複数の口座のうち、優先順序が相対的に早い方の口座の貯玉を第１獲得価値、これに劣後する口座の貯玉を第２獲得価値として把握した場合、上記の「乗入元口座選択設定：一括」について説明した第２貸出機２Ｂの動作は、次のように把握することができる。
【００９４】
即ち、第２貸出機２Ｂは第１遊技価値付与手段として、前記付与操作が行われた場合に、自身の記憶部が記憶する予め優先順序として定められた種類の第１獲得価値（上記の一例では１円貯玉）を対価として、予め定められた種類の遊技価値である特別遊技価値（上記の一例では４円レートでのパチンコ玉）を遊技者に付与する。尚、当該一例と異なり、第２貸出機２Ｂにおける、４円貯玉を対価とした４円レートでのパチンコ玉の付与、つまり自口座の貯玉を対価としてレート比率（１）で再プレイを行う場合も、「第１獲得価値を対価として、予め定められた種類の遊技価値である特別遊技価値を遊技者に付与する」ことに含まれる。
【００９５】
同じく、第２貸出機２Ｂは第２遊技価値付与手段として、前記付与操作が行われた場合に、自身の記憶部が記憶する第１獲得価値とは異なる種類の獲得価値である第２獲得価値（上記一例では２円貯玉）を対価として、４円レートでのパチンコ玉を遊技者に付与する。
【００９６】
そして、第２貸出機２Ｂは、第１遊技価値付与手段として１円貯玉を対価とする４円レートでのパチンコ玉を付与した場合に、これを付与するために対価にする１円貯玉の数が不足した状態になると、第１遊技価値付与手段として４円レートでのパチンコ玉を付与する状態から第２遊技価値付与手段として４円レートでのパチンコ玉を付与する状態に切り替え、前述した状態切替処理を実行する（図８における画面１２１，１２２遷移等、参照）。
【００９７】
また、第２貸出機２Ｂは、前記付与操作により口座の貯玉数が不足した状態になることに伴い自動的に実行する状態切替処理に際して、その処理の都度、暗証番号入力画面１２３，１２８を表示させる（図８参照）。このため、第２貸出機２Ｂは、状態切替処理を実行する場合又は実行した場合に、遊技者が暗証番号を入力する等して認証操作を実行するまで、第２遊技価値付与手段としての４円レートでのパチンコ玉の付与の実行を抑制するものといえる。
【００９８】
それ故、本実施形態の第２貸出機２Ｂによれば、対価にする貯玉の口座が切り替わった場合又は切り替わる場合に、認証操作を遊技者に行わせることで、対価にする貯玉の口座が切り替わったことを遊技者が特定し易くなる効果が期待できる。つまり本構成によれば、他人による不正な貯玉を対価としたパチンコ玉の付与を抑制するための認証操作によって、対価にする貯玉の口座の切り替えが行われたことを遊技者に特定させることができるという優れた効果を発揮することができる。
【００９９】
本発明は、上記した実施形態にのみ限定されるものではなく、以下のように変形又は拡張することができる。
例示した遊技機１以外の遊技機に本願発明を適用しても良い。例えば、パチンコ機として、玉が封入されており、遊技者が玉にさわることができず、クレジットや得点を消費して玉を発射する封入式パチンコ遊技機や、クレジットや得点を消費してリールが回転する等ゲームが進行する完全クレジット式のスロットマシンに対応するよう本願発明を適用しても良い。この場合、クレジットや得点を遊技価値或いは獲得価値とし、その遊技価値の自動決定に対応した第２遊技用装置と、対応していない第１遊技用装置とが混在した遊技場にも適用することが可能となる。
【０１００】
上記コーナーに加えて又は代えて別のコーナーを設けることが可能である。例えば、０．５円玉コーナーを省いて、１枚１０円レートのスロットマシンを設置する１０円メダルコーナーを設けるようにしても良い。つまり、遊技価値の種類は任意に変更することが可能である。
【０１０１】
遊技者が所有乃至所持している貯玉の特定方法や、遊技者の識別情報の特定方法を変更しても良い。識別情報は、上記した会員カードや携帯電話を利用して、これらを選択的に第２貸出機２Ｂで受け付けて管理装置６側で照合して特定する構成としたが、これら会員カードや携帯電話に代えて、ＩＣコインや磁気媒体を利用し、或いは遊技者の指紋や顔面像といった生体認証を、第２貸出機２Ｂで受け付けて管理装置６側で照合することで、遊技者の識別情報として特定しても良い。
【０１０２】
貸出機２が備える機能の少なくとも一部を管理装置６が備える構成としても良いし、管理装置６が備える機能の少なくとも一部を貸出機２が備える構成としても良い。例えば、優先順序に基づく乗入元の口座を決定する処理は、第２貸出機２Ｂ側で実行する構成としたが、管理装置６側で実行する構成としても良い。この場合、管理装置６は、決定した乗入元の口座を第２貸出機２Ｂに通知する構成とすることができる。また、例えば優先順序の設定を管理装置６で行う構成としたが、第２貸出機２Ｂにて優先順序を設定する構成としても良い。
【０１０３】
乗入元の口座を自動的に切り替えた後に暗証番号を遊技者に入力させる構成としたが、乗入元の口座を切り替える前に暗証番号を入力させる構成としても良い。具体的には、第２貸出機２Ｂにおいて、乗入元の再プレイ可能玉数が０個になると暗証番号入力画面を表示し、付与操作がなされる前に暗証番号を入力させ、管理装置６からの適正信号の受信を待って、乗入元の口座を決定して切り替える処理を実行する構成にすると良い。
【０１０４】
認証操作として暗証番号を入力させる構成としたが、認証操作を任意に変更しても良い。例えば、第２貸出機２Ｂにおいて遊技者の指紋を検出するための操作、或いは遊技者が所持する携帯電話をかざさせる操作を、遊技者が予め定められた認証操作を実行するための操作としても良く、認証操作手段を、液晶表示部２１Ｂに限定するものではない。このような各種の認証操作手段を採用した場合でも、認証操作により取得された情報を管理装置６に照合させる等して、第２貸出機２Ｂ、管理装置６或いは遊技場用システムにおいて、識別情報に対応付けられた遊技者が遊技を行っていることを特定する構成であれば良い。
【０１０５】
ＰＯＳ７で選択された乗入元の他口座の選択履歴に関わらず、優先順序に基づき乗入元の他口座を切り替えるタイミング乃至条件を変更しても良い。即ち例えば、第２貸出機２Ｂにおいてカード挿入口２４Ｂに会員カードが挿入され、読み出した会員ＩＤを管理装置６へ通知し、その管理装置６から当該会員ＩＤに対応付けられた他口座の各貯玉数と優先順序が送信された時点で、それらの情報に基づき乗入元の他口座を決定しても良い。また、第２貸出機２Ｂにおいて遊技者の暗証番号の入力を受け付けた時点で、乗入元の他口座を決定しても良い。このように、カード挿入口２４Ｂへの会員カードの挿入から乗入により払出しを行うまでの間の何れのタイミングで乗入元の口座を決定して切り替える処理を実行するように構成しても良い。
【０１０６】
例えば第１貸出機２Ａでは会員カードを用いる一方、第２貸出機２Ｂでは、会員カードに代えてＩＣコインを用いるものとする等、第１貸出機２Ａと第２貸出機２Ｂとで、受け付ける遊技者の識別情報を保持するための媒体を異ならせる構成としても良い。
第２貸出機２Ｂと機種を同じくする貸出機２は、４円玉コーナーだけでなく、２円玉〜０．５円玉コーナーにも夫々のレートに対応付けて設置されるものとした。これにより、１円玉コーナーには、第１貸出機２Ａだけでなく、第２貸出機２Ｂと同じ機種の貸出機２が混在する構成としたが、１円玉コーナーに第１貸出機２Ａの機種のみ設置する等、遊技場において、第１貸出機２Ａと第２貸出機２Ｂが混在していれば良い。
【０１０７】
乗入元として許容する遊技価値の種類や、乗入先として許容する遊技価値の種類は、管理装置６における前記他口座設定画面を利用する等して個別に遊技場側で設定可能としても良い。また、前日までに預け入れた貯玉を用いた乗入について説明したが、当日貯玉を用いた乗入を管理装置６側で許容する設定にすることも可能である。
【０１０８】
例えば４円玉コーナーにおいて、４円貯玉口座の貯玉が無くなった場合、自動的に優先順序に基づく他口座への切り替えを実行する構成としても良い。つまり、自動的な他口座への切り替えは、個々の他口座の貯玉が無くなった場合に限るものではなく、自口座の貯玉が無くなった場合に優先順序の早い他口座への切り替えを実行する構成にしても良い。また、上記実施形態では、他口座だけでなく自口座も、設定された「１」〜「４」の優先順序での引き落としの対象としたが、他口座だけを係る優先順位での引き落としの対象としても良い。
更に、上記した数値、桁数、項目等は例示であり、どのような数値を採用しても良いし、変形例を含む例示した構成をどのように組み合わせても良い。
【符号の説明】
【０１０９】
図面中、１は遊技機、２Ａは第１貸出機（第１遊技用装置）、２Ｂは第２貸出機（第２遊技用装置）、６は管理装置（識別情報特定手段、設定手段、記憶手段）、７はＰＯＳ（選択手段）、２１Ｂは表示部（タッチパネル、切替手段）である。
【図１】
0006530305.tif 000002
【図２】
0006530305.tif 000003
【図３】
0006530305.tif 000004
【図４】
0006530305.tif 000005
【図５】
0006530305.tif 000006
【図６】
0006530305.tif 000007
【図７】
0006530305.tif 000008
【図８】
0006530305.tif 000009